(57)【要約】【課題】通信履歴印刷機能を有し、出力結果である印刷物の管理が容易であるファクシミリ装置を提供する。【解決手段】ファクシミリ装置１は、ファクシミリ通信の通信履歴を記憶する記憶部１７と、通信履歴を印刷する通信履歴印刷部１５ａと、を備える。ファクシミリ装置１は、通信履歴印刷部１５ａが、印刷した順番を識別可能に通信履歴を印刷する。【選択図】図１
2014050058.tif 000002
【特許請求の範囲】
【請求項１】
ファクシミリ通信の通信履歴を記憶する記憶部と、前記通信履歴を印刷する通信履歴印刷部と、を備えたファクシミリ装置において、
前記通信履歴印刷部は、前記通信履歴を印刷した順番を識別可能に印刷することを特徴とするファクシミリ装置。
【請求項２】
前記通信履歴の印刷時に当該印刷日時を前記記憶部に記憶し、前記通信履歴印刷部は、前記通信履歴の印刷時に、現在の日時と、直近の前回の通信履歴の印刷日時と、を印刷することを特徴とする請求項１に記載のファクシミリ装置。
【請求項３】
前記通信履歴印刷部は、前記通信履歴の印刷時に、前記通信履歴の印刷毎に更新される連番を印刷することを特徴とする請求項１または２に記載のファクシミリ装置。
【発明の詳細な説明】
【技術分野】
【０００１】
本発明は、通信履歴印刷機能を有するファクシミリ装置に関する。
【背景技術】
【０００２】
従来、ファクシミリ装置として、ファクシミリ通信日時や、送信／受信先、送受信の結果、などを記憶し通信履歴として印刷するものがある。
特許文献１に開示のファクシミリ装置は、５０通信が行われた後や、ユーザに指定された転送日になったときに、通信履歴を集中管理装置に送信すると共に、同通信履歴をメモリに記憶し、予め登録されていた日に通信履歴を自動的に印刷する。
【先行技術文献】
【特許文献】
【０００３】
【特許文献１】特開２００４−１９２４６４号公報
【発明の開示】
【発明が解決しようとする課題】
【０００４】
しかし、特許文献１に開示のように通信履歴を印刷する際、単にその通信履歴のみを印刷するのでは、出力結果である印刷物の管理、例えば、印刷物の一部の紛失の有無等が難しい。
【０００５】
本発明は、上述のような実情を鑑みてなされたものであり、通信履歴印刷機能を有し、出力結果である印刷物の管理が容易であるファクシミリ装置を提供することをその目的とする。
【課題を解決するための手段】
【０００６】
上記課題を解決するために、本発明の第１の技術手段は、ファクシミリ通信の通信履歴を記憶する記憶部と、前記通信履歴を印刷する通信履歴印刷部と、を備えたファクシミリ装置において、前記通信履歴印刷部が、前記通信履歴を印刷した順番を識別可能に印刷することを特徴としたものである。
【０００７】
本発明の第２の技術手段は、第１の技術手段において、前記通信履歴の印刷時に当該印刷日時を前記記憶部に記憶し、前記通信履歴印刷部が、前記通信履歴の印刷時に、現在の日時と、直近の前回の通信履歴の印刷日時と、を印刷することを特徴としたものである。
【０００８】
本発明の第３の技術手段は、第１または第２の技術手段において、前記通信履歴印刷部が、前記通信履歴の印刷時に、前記通信履歴の印刷毎に更新される連番を印刷することを特徴としたものである。
【発明の効果】
【０００９】
本発明によれば、通信履歴印刷機能を有し、出力結果である印刷物の管理が容易であるファクシミリ装置を提供できる。
【図面の簡単な説明】
【００１０】
【図１】本発明のファクシミリ装置の構成例を説明するブロック図である。
【図２】図１のファクシミリ装置によるファクシミリ通信履歴の印刷結果の例を示す図である。
【図３】本発明のファクシミリ装置の別の構成例を説明するブロック図である。
【図４】図３のファクシミリ装置によるファクシミリ通信履歴の印刷結果の例を示す図である。
【図５】本発明のファクシミリ装置の別の構成例を説明するブロック図である。
【図６】図５のファクシミリ装置によるファクシミリ通信履歴の印刷結果の例を示す図である。
【図７】図５のファクシミリ装置のファクシミリ通信履歴印刷処理の一例を説明するフローチャートである。
【発明を実施するための形態】
【００１１】
図１は、本発明のファクシミリ装置の構成例を説明するブロック図である。
図１のファクシミリ装置１は、スキャナ部１１、操作部１２、表示部１３、ファクシミリ通信部１４、印刷部１５、制御部１６、記憶部１７、時計部１８を備える。
【００１２】
スキャナ部１１は、自動原稿搬送部（ＡＤＦ：Auto Document Feeder）等を有するもので、原稿を光学的に読取り、当該原稿の画像データを生成する。
操作部１２は、テンキー、ファクシミリ送信実行キー等を有する操作パネルや、表示部１２の前面に設けられたタッチパネル等から構成されるもので、ファクシミリ装置１をユーザが操作するためのものである。
表示部１３は、液晶表示装置等から構成されるもので、ファクシミリ通信の相手先のファクシミリ番号等の情報や、ファクシミリ装置１の状態の情報等を表示する。
【００１３】
ファクシミリ通信部１４は、画像データを送受信するためのもので、スキャナ部１１が生成した原稿の画像データに各種画像処理を施したファクシミリ送信データを生成し、操作部１２を介して指定された宛先ファクシミリ番号に送信する処理や、他のファクシミリ装置から送信データを受信する処理を行う。
【００１４】
印刷部１５は、ファクシミリ通信部１４を介して受信したデータの印刷等の各種印刷を行うためのものであり、ファクシミリ通信履歴を印刷する通信履歴印刷部１５ａを有する。
制御部１６は、例えばＣＰＵ（Central Processing Unit）から成るもので、ファクシミリ装置１の全体を制御する。
記憶部１７は、ハードディスクドライブ（ＨＤＤ）などの記憶媒体からなり各種データを記憶するものであり、宛先のファクシミリ番号と宛先名とを対応付けて記憶する電話帳部１７ａと、ファクシミリ通信日時、宛先、通信結果、通信履歴印刷の既／未をファクシミリ通信履歴として記憶する通信履歴記憶部１７ｂと、通信履歴印刷を行った日時を記憶する通信履歴印刷日時記憶部１７ｃとを有する。
時計部１８は、現在の日時を計時するためのものである。
【００１５】
上述のような構成を有するファクシミリ装置１は、通常のファクシミリ送受信処理を行う他、所定のタイミングで自動的に、あるいは、操作部１２を介したユーザの指示に基づいて、通信履歴印刷部１５ａにより、ファクシミリ通信履歴を印刷する。所定のタイミングとは、例えば、ファクシミリ通信回数が所定回数を超える毎または所定日時になる毎である。なお、上記所定回数及び所定日時は、デフォルトで指定されてもよいし、操作部１２を介してユーザにより指定されてもよい。また、所定回数及び所定日時の情報は記憶部１７に記憶される。
そして、ファクシミリ装置１では、通信履歴印刷部１５ａによる通信履歴の印刷時に、通信履歴を、印刷した順番を識別可能に印刷する。具体的には、通信履歴印刷部１５ａの前回日時印刷機能により、通信履歴の印刷時に、現在の日時と、通信履歴を印刷した前回の日時と、を印刷する。
【００１６】
図２は、図１のファクシミリ装置１によるファクシミリ通信履歴の印刷結果の例を示す図である。
ファクシミリ装置１は、上述のように、ファクシミリ通信履歴を印刷することができ、その印刷が、当該装置１が設置されてから初めての印刷であれば、例えば、図２（Ａ）の印刷物Ａを印刷する。
【００１７】
印刷物Ａでは、通信履歴記憶部１７ｂに記憶されている直近５０件の通信履歴として、通信日時Ａ１、宛先Ａ２、通信結果Ａ３、通信履歴の確認が行われたか否かすなわち通信履歴印刷を行ったか否かの情報Ａ４が１通信毎に印刷されており、さらに、当該印刷を行った日時Ａ５が印刷されている。この印刷の際、ファクシミリ装置１は、時計部１８を参照し、当該印刷を行った日時を通信履歴印刷日時記憶部１７ｃに記憶する。なお、印刷物Ａの通信結果Ａ３において、「ＯＫ」は「通信が完了」したことを意味し、「ＮＧ」（後述の図２（Ｂ）参照）は「通信が失敗」したことを意味する。また、印刷物Ａの通信履歴印刷を行ったか否かの情報Ａ４において、「未」は「未印刷」であることを意味し、「済」（後述の図２（Ｂ）参照）は「印刷済み」であることを意味する。
【００１８】
ファクシミリ装置１は、印刷物Ａの印刷を行った後、すなわち、最初のファクシミリ通信履歴印刷の後、次にファクシミリ通信履歴の印刷を行う際は、例えば、図２（Ｂ）の印刷物Ａ´を印刷する。
印刷物Ａ´における通信日時Ａ１´、宛先Ａ２´、通信結果Ａ３´、通信履歴を行ったか否かの情報Ａ４´、当該ファクシミリ通信履歴の印刷を行った日時Ａ５´は、印刷物Ａにおける通信日時Ａ１、宛先Ａ２、通信結果Ａ３、通信履歴を行ったか否かの情報Ａ４、印刷を行った日時Ａ５と同様のものである。また、「ＯＫ」、「ＮＧ」、「未」、「済」の意味は上述の通りであり、この印刷の際、ファクシミリ装置１は、時計部１８を参照し、当該印刷を行った日時を通信履歴印刷日時記憶部１７ｃに記憶する。
【００１９】
印刷物Ａ´において、図２（Ａ）の印刷物Ａと異なるのは、印刷日時記憶部１７ｃに記憶されている前回の通信履歴印刷を行った日時Ａ６が印刷されている点である。
このように、ファクシミリ装置１では、２回目以降のファクシミリ通信履歴印刷の際、印刷物Ａ´のように、今回の通信履歴を行った日時すなわち現在の日時と、前回の通信履歴印刷を行った日時と、を印刷するため、印刷物をファイリングして管理する際などに、印刷物の紛失の有無などを発見しやくすることができ、印刷物の管理を容易にすることができる。
【００２０】
図３は、本発明のファクシミリ装置の別の構成例を説明するブロック図である。本例において、図１のファクシミリ装置１内の構成部と同様な構成部については、同じ参照符号を付すことにより、その説明を省略する。
図３のファクシミリ装置１´は、図１のファクシミリ装置１と異なり、通信履歴印刷部１５ａ´がファクシミリ通信履歴の印刷毎に更新される連番を付与する機能を有し、上記連番を記憶する連番記憶部１７ｄを記憶部１７´が有する。
【００２１】
ファクシミリ装置１´もまた、通常のファクシミリ送受信処理を行う他、所定のタイミングで自動的に、あるいは、操作部１２を介したユーザの指示に基づいて手動的に、通信履歴印刷部１５ａ´を用いてファクシミリ通信履歴を印刷可能である。この通信履歴の印刷時に、通信履歴の印刷を、当該印刷の順番を識別可能に行う。この印刷形態が図１のファクシミリ装置１と異なる。具体的には、ファクシミリ装置１´では、通信履歴印刷部１５ａ´の連番印刷機能により、通信履歴の印刷毎に更新される連番を印刷する。
【００２２】
図４は、図３のファクシミリ装置１´によるファクシミリ通信履歴の印刷結果の例を示す図である。本例において、図２の印刷物と同様な内容については、同じ参照符号を付すことにより、その説明を省略する。
ファクシミリ装置１は、上述のように、ファクシミリ通信履歴を印刷することができ、例えば、図４（Ａ）の印刷物Ｂを印刷する。
【００２３】
印刷物Ｂでは、図２の印刷物Ａの印刷内容に加えて、ファクシミリ通信履歴の印刷毎に更新される連番Ｂ１、図の例では「０００１」が印刷されている。この印刷の際、ファクシミリ装置１は、印刷した番号を連番記憶部１７ｄに記憶する。
【００２４】
ファクシミリ装置１は、印刷物Ｂの印刷を行った後、次にファクシミリ通信履歴印刷を行った際は、例えば、図２（Ｂ）の印刷物Ｂ´を印刷する。
【００２５】
印刷物Ｂ´において、印刷物Ｂと異なるのは、連番Ｂ１´が更新されている点である。
このように、ファクシミリ装置１´では、通信履歴印刷の際に当該印刷毎に更新される連番を印刷するため、印刷物をファイリングして管理する際などに、印刷物の紛失の有無などを発見しやくすることができ、印刷物の管理を容易にすることができる。
【００２６】
図５は、本発明のファクシミリ装置の別の構成例を説明するブロック図である。本例において、図１のファクシミリ装置１や図３のファクシミリ装置１´の構成部と同様な構成部については、同じ参照符号を付すことにより、その説明を省略する。
図５のファクシミリ装置１”は、図１のファクシミリ装置１や図３のファクシミリ装置１´と異なり、通信履歴印刷部１５ａ”が、通信履歴の印刷時に、現在の日時及び通信履歴を印刷した前回の日時を印刷する前回日時印刷機能と、ファクシミリ通信履歴の印刷毎に更新される連番を印刷する連番印刷機能との両方を有すると共に、記憶部１７”が通信履歴印刷を行った日時を記憶する印刷日時記憶部１７ｃと上記連番を記憶する連番記憶部１７ｄとの両方を有する。
【００２７】
ファクシミリ装置１”もまた、通常のファクシミリ送受信処理を行う他、所定のタイミングで自動的に、あるいは、操作部１２を介したユーザの指示に基づいて手動的に、通信履歴印刷部１５ａ”を用いてファクシミリ通信履歴を印刷する。
【００２８】
図６は、図５のファクシミリ装置１”によるファクシミリ通信履歴の印刷結果の例を示す図である。本例において、図１や図２の印刷物と同様な内容については、同じ参照符号を付すことにより、その説明を省略する。
ファクシミリ装置１”は、上述のように、ファクシミリ通信履歴を印刷することができ、その印刷が、当該装置１”が設置されてから初めての印刷であれば、例えば、図４（Ａ）の印刷物Ｂを通信履歴印刷部１５ａ”により印刷する。この印刷の際、ファクシミリ装置１は、時計部１８を参照し、当該印刷を行った日時を通信履歴印刷日時記憶部１７ｃに記憶すると共に、印刷した番号すなわち連番Ｂ１を連番記憶部１７ｄに記憶する。
【００２９】
ファクシミリ装置１は、印刷物Ｂの印刷を行った後、すなわち、最初のファクシミリ通信履歴印刷の後、次にファクシミリ通信履歴を行う際は、例えば、図６の印刷物Ｃを印刷する。
印刷物Ｃにおいて、図４（Ａ）の印刷物Ｂと異なるのは、印刷日時記憶部１７ｃに記憶されている前回の通信履歴印刷を行った日時Ａ６が印刷されている点と、連番Ｂ１´が更新されている点である。
このように、ファクシミリ装置１”では、通信履歴印刷の際に、前回の通信履歴印刷を行った日時と、当該印刷毎に更新される連番を印刷するため、印刷物をファイリングして管理する際などに、印刷物の紛失の有無などを発見しやくすることができ、印刷物の管理を容易にすることができる。
【００３０】
図７は、図５のファクシミリ装置１”のファクシミリ通信履歴印刷処理の一例を説明するフローチャートである。
図示するように、ファクシミリ装置１”は、ファクシミリ送受信があったか否か判定し（ステップＳ１）、あった場合（ＹＥＳの場合）、ファクシミリ通信履歴を履歴記憶部１７ｂに記憶し（ステップＳ２）、前回のファクシミリ通信履歴の印刷から５０件のファクシミリ通信を行ったか否か判定する（ステップＳ３）。５０件の通信を行っていない場合（ＮＯの場合）、ステップＳ１に処理を戻し、行っていた場合（ＹＥＳの場合）、ステップＳ５へ処理を進める。
また、ステップＳ１において、ファクシミリ送受信がなかった場合（ＮＯの場合）、操作部１２を介した手動による印刷指示があったか否か判定し（ステップＳ４）、印刷指示がない場合（ＮＯの場合）、ステップＳ１に処理を戻し、指示がある場合（ＹＥＳの場合）、ステップＳ５へ処理を進める。
【００３１】
ステップＳ５では、印刷日時記憶部１７ｃに前回のファクシミリ通信履歴の印刷日時が記憶されているか否か判定する。印刷日時が記憶されていない場合（ＮＯの場合）、すなわち、初回印刷の場合、印刷情報に追加する前回の印刷日時の情報を空白に設定し（ステップＳ６）、印刷する連番を「００１」と設定し（ステップＳ７）、ステップＳ１０へ処理を進める。
また、ステップＳ５において、印刷日時が記憶されていると判定された場合（ＹＥＳの場合）、すなわち、２回目以降の印刷の場合、印刷日時記憶部１７ｃを参照し、印刷情報に追加する前回の印刷日時の情報を設定し（ステップＳ８）、また、連番記憶部１７ｄに記憶されている連番に１を加算したものを印刷する連番に設定し（ステップＳ９）、ステップＳ１０へ処理を進める。
【００３２】
ステップＳ１０において、ファクシミリ装置１”は、印刷情報に連番の情報を追加する。さらに、前回の印刷日時の情報を印刷情報に追加し（ステップＳ１１）、時計部１８を参照し、現在の日時の情報を印刷情報に追加し（ステップＳ１２）、履歴記憶部１７ｂを参照し、直近５０件のファクシミリ通信履歴の情報を印刷情報に追加する（ステップＳ１３）。なお、履歴記憶部１７ｂにファクシミリ通信履歴が記憶されている件数が５０件未満の場合は全てのファクシミリ通信履歴の情報を印刷情報に追加する。
そして、ファクシミリ装置１”は、印刷情報に基づく印刷を通信履歴印刷部１５ａ”により行い、ファクシミリ通信履歴と共に、現在の日時、前回の履歴印刷を行った日時（２回目以降の印刷のみ）及び連番を印刷する（ステップＳ１４）。
【００３３】
その後、ファクシミリ装置１”は、印刷情報に追加した連番を連番記憶部１７ｄに上書き記憶し（ステップＳ１５）、現在の日時を、前回の印刷履歴を行った日時として印刷日時記憶部１７ｃに記憶する（ステップＳ１６）。また、ファクシミリ装置１”は、履歴記憶部１７ｂに記憶の通信履歴印刷を行ったか否かの情報が未印刷を意味する「未」であるものについては、当該情報を印刷済みであることを意味する「印刷済み」に更新する（ステップＳ１７）。そして処理をステップＳ１に戻す。
【００３４】
なお、上述では、通信履歴印刷の際、当該印刷を行ったか否かの情報をファクシミリ通信毎に印刷する形態であるが、当該情報は印刷しなくてもよく、その場合は、通信履歴の情報のうち、印刷したものについては、消去することが好ましい。また、通信履歴印刷を行ったか否かの情報を印刷する場合も、所定件数以上記憶されている場合は、古いものに上書きして記憶するようにすることが好ましい。
【符号の説明】
【００３５】
１…ファクシミリ装置、１１…スキャナ部、１２…操作部、１３…表示部、１４…ファクシミリ通信部、１５，１５´，１５”…印刷部、１５ａ，１５ａ´，１５ａ”…通信履歴印刷部、１６…制御部、１７，１７´，１７”…記憶部、１７ａ…電話帳部、１７ｂ…履歴記憶部、１７ｃ…印刷日時記憶部、１７ｄ…連番記憶部、１８…時計部。
【図１】
2014050058.tif 000003
【図２】
2014050058.tif 000004
【図３】
2014050058.tif 000005
【図４】
2014050058.tif 000006
【図５】
2014050058.tif 000007
【図６】
2014050058.tif 000008
【図７】
2014050058.tif 000009